(57)【要約】      （修正有）【課題】トンネル軸方向に断面形状が大きく変化する現場での実施が容易で、断面形状の変化に対し滑らかに打設できる覆工コンクリートの打設方法を提供する。【解決手段】トンネルの小径側の第１の内周面と大径側の第２の内周面とに覆工コンクリートを打設する場合に、先ず、第１及び第２の内周面のうち、側壁部に、先行覆工コンクリート４を打設する。次に、複数のパネルフォーム部材１０がトンネル周方向にヒンジ接続されてなり、曲率を変更可能なアーチ状のパネルフォーム９を使用し、前記第１の内周面の天端部に、第１の後行覆工コンクリートを打設する。また、前記パネルフォーム９の曲率を変化させて、前記第２の内周面の天端部に、第２の後行覆工コンクリートを打設する。ここで、後行覆工コンクリートの打設時には、パネルフォーム９の両端部と先行覆工コンクリート４とをラップさせ、径の変化に対し、ラップ長を変化させて、対応する。【選択図】図２
2020128696.tif 000002
【特許請求の範囲】
【請求項１】
トンネルの第１の内周面と、前記第１の内周面に対しトンネル軸方向に連続し、曲率が異なる第２の内周面とに、覆工コンクリートを打設する方法であって、
トンネルの前記第１の内周面及び前記第２の内周面の側壁部に、先行覆工コンクリートを打設する工程と、
複数のパネルフォーム部材がトンネル周方向にヒンジ接続されてなり、曲率を変更可能なアーチ状のパネルフォームを使用し、前記第１の内周面に対し、前記パネルフォームのアーチ部が第１の曲率でトンネル天端部を覆い、前記パネルフォームのトンネル周方向の左右の両端部が前記先行覆工コンクリートとラップするように、前記パネルフォームを設置して、前記第１の内周面と前記パネルフォームとの間のトンネル天端部の領域に、第１の後行覆工コンクリートを打設する工程と、
前記パネルフォームを使用し、前記第２の内周面に対し、前記パネルフォームのアーチ部が第２の曲率でトンネル天端部を覆い、前記パネルフォームのトンネル周方向の左右の両端部が前記先行覆工コンクリートとラップするように、前記パネルフォームを設置して、前記第２の内周面と前記パネルフォームとの間のトンネル天端部の領域に、第２の後行覆工コンクリートを打設する工程と、
を含み、
前記第１の内周面に対する前記パネルフォームのトンネル周方向の左右の両端部の高さと、前記第２の内周面に対する前記パネルフォームのトンネル周方向の左右の両端部の高さとで、前記第１の内周面及び前記第２の内周面のうち、曲率が大きい方の内周面に対する前記パネルフォームのトンネル周方向の左右の両端部の高さの方が、低くなるように、高さを変化させ、
前記第１の内周面に対する前記パネルフォームと前記先行覆工コンクリートとのラップ長と、前記第２の内周面に対する前記パネルフォームと前記先行覆工コンクリートとのラップ長とで、前記第１の内周面及び前記第２の内周面のうち、曲率が大きい方の内周面に対する前記パネルフォームと前記先行覆工コンクリートとのラップ長の方が、長くなるように、長さを変化させることを特徴とする、覆工コンクリートの打設方法。
【請求項２】
前記第１の内周面及び前記第２の内周面は、トンネル軸方向に所定長さの打設単位内での互いに曲率が異なる前側及び後側の内周面であり、
トンネル天端部の領域への後行覆工コンクリートの打設時に、前記パネルフォームの前側及び後側で、前記パネルフォームのトンネル周方向の左右の両端部の高さ、及び、前記パネルフォームと先行覆工コンクリートとのラップ長を変化させることを特徴とする、請求項１記載の覆工コンクリートの打設方法。
【請求項３】
前記パネルフォームは、トンネル内の路盤上をトンネル軸方向に移動可能な台車に搭載して使用し、
前記第１の後行覆工コンクリート打設工程にて前記台車が位置する第１の路盤と、前記第２の後行覆工コンクリート打設工程にて前記台車が位置する第２の路盤とで、路盤の高さを、前記第１及び第２の内周面のうち、曲率が大きい方の内周面の天端部への後行覆工コンクリート打設工程の方が、低くなるように、変化させることを特徴とする、請求項１又は請求項２記載の覆工コンクリートの打設方法。
【請求項４】
前記パネルフォームは、アーチ部頂上側のパネルフォーム部材にヒンジを介して接続されるパネルフォーム部材の自由端側の、少なくともトンネル軸方向前側と後側とに、パネルフォーム部材間のヒンジ部折れ角度を調整するジャッキを備え、
これら前後のジャッキの作動量を異ならせて、トンネル軸方向前側と後側とでヒンジ部折れ角度を変化させることにより、前記パネルフォームの曲率をトンネル軸方向に変化させることを特徴とする、請求項１〜請求項３のいずれか１つに記載の覆工コンクリートの打設方法。
【発明の詳細な説明】
【技術分野】
【０００１】
本発明は、トンネルの内周面へ覆工コンクリートを打設する方法に関し、特にトンネル断面がトンネル軸方向に大きく変化する場合に適した覆工コンクリートの打設方法に関する。
【背景技術】
【０００２】
従来技術として、特許文献１に記載の技術が知られている。
これは、同一のパネルフォーム（型枠）をトンネル断面形状に対応させて容易に変更し、断面形状の異なるトンネルへの転用を可能とするため、複数のパネルフォーム部材がトンネル周方向にヒンジ連結されてなるアーチ状のパネルフォームを使用し、パネルフォーム部材間の折れ角度（挟角）を調整することにより、パネルフォームの断面形状を変更する。
【先行技術文献】
【特許文献】
【０００３】
【特許文献１】特開２００１−１６４８９４号公報
【発明の概要】
【発明が解決しようとする課題】
【０００４】
しかしながら、特許文献１に記載の技術では、断面形状、例えばトンネル周長が大きく変化する場合には、トンネル周長の変化に対応させて、パネルフォーム部材の使用個数を増加あるいは減少させる必要がある。このため、トンネル軸方向に断面形状が大きく変化する現場にて使用する場合は、パネルフォームをセットするごとに、パネルフォーム部材の着脱を余儀なくされる。従って、断面形状が大きく変化する現場では、セットに時間がかかり、工期短縮を図ることが難しいという問題点があった。
【０００５】
本発明は、このような実状に鑑み、トンネル軸方向に断面形状が大きく変化する現場での実施が容易で、断面形状の変化に対し滑らかに打設できる覆工コンクリートの打設方法を提供することを課題とする。
【課題を解決するための手段】
【０００６】
本発明方法は、トンネルの第１の内周面と、前記第１の内周面に対しトンネル軸方向に連続し、曲率が異なる第２の内周面とに、覆工コンクリートを打設する方法であって、
トンネルの前記第１の内周面及び前記第２の内周面の側壁部に、先行覆工コンクリートを打設する工程と、
複数のパネルフォーム部材がトンネル周方向にヒンジ接続されてなり、曲率を変更可能なアーチ状のパネルフォームを使用し、前記第１の内周面に対し、前記パネルフォームのアーチ部が第１の曲率でトンネル天端部を覆い、前記パネルフォームのトンネル周方向の左右の両端部が前記先行覆工コンクリートとラップするように、前記パネルフォームを設置して、前記第１の内周面と前記パネルフォームとの間のトンネル天端部の領域に、第１の後行覆工コンクリートを打設する工程と、
前記パネルフォームを使用し、前記第２の内周面に対し、前記パネルフォームのアーチ部が第２の曲率でトンネル天端部を覆い、前記パネルフォームのトンネル周方向の左右の両端部が前記先行覆工コンクリートとラップするように、前記パネルフォームを設置して、前記第２の内周面と前記パネルフォームとの間のトンネル天端部の領域に、第２の後行覆工コンクリートを打設する工程と、を含む。
【０００７】
そして、前記第１の内周面に対する前記パネルフォームのトンネル周方向の左右の両端部の高さと、前記第２の内周面に対する前記パネルフォームのトンネル周方向の左右の両端部の高さとで、前記第１の内周面及び前記第２の内周面のうち、曲率が大きい方の内周面に対する前記パネルフォームのトンネル周方向の左右の両端部の高さの方が、低くなるように、高さを変化させる。
【０００８】
また、前記第１の内周面に対する前記パネルフォームと前記先行覆工コンクリートとのラップ長と、前記第２の内周面に対する前記パネルフォームと前記先行覆工コンクリートとのラップ長とで、前記第１の内周面及び前記第２の内周面のうち、曲率が大きい方の内周面に対する前記パネルフォームと前記先行覆工コンクリートとのラップ長の方が、長くなるように、長さを変化させる。
【発明の効果】
【０００９】
本発明によれば、曲率が変化可能なアーチ状のパネルフォームを使用して、トンネル軸方向のトンネル断面の曲率変化に対応する一方、パネルフォームの両端部を、側壁部の先行覆工コンクリートとのラップ部に位置させることで、トンネル周長の変化に対応することができる。従って、トンネル軸方向に断面形状が大きく変化する現場での使用が容易となり、工期短縮等を図ることができる。また、断面形状の変化に対し滑らかに覆工コンクリートを打設することができる。
【００１０】
尚、ここでは、断面形状の変化を主に曲率（１／ｒ）の変化として捉えているが、半径（ｒ）、内周長さ（πｒ）、断面積（πｒ2）の変化として捉えてもよい。
【図面の簡単な説明】
【００１１】
【図１】本発明方法の一実施形態を示すトンネルの全体図
【図２】本発明方法の一実施形態を示す最小径部打設時（右半分）及び最大径部打設時（左半分）のトンネル断面の詳細図
【図３】図２のＡ−Ａ断面図
【図４】パネルフォーム部材の拡大図
【図５】パネルフォームの拡径の様子を示す斜視図
【図６】打設単位内でトンネル径の変化に対応する場合の移動式セントルの側面図
【図７】本発明方法の他の実施形態を示すトンネル断面の詳細図
【発明を実施するための形態】
【００１２】
以下、本発明の実施の形態について、詳細に説明する。
図１は本発明方法の一実施形態を示すトンネルの全体図であり、（ａ）は平面図、（ｂ）はトンネルの一端側（最小径部側）の断面図、（ｃ）はトンネルの他端側（最大径部側）の断面図、（ｄ）はトンネル軸方向に沿う断面図である。特に（ａ）及び（ｄ）には打設分割の単位を示している。
【００１３】
覆工対象のトンネル１は、図１に示すように、最小径部（最大曲率部）から最大径部（最小曲率部）まで連続的に、少なくとも天端部の径（曲率）が変化しており、かかるトンネルの天端部及び側壁部（したがってトンネル底盤部を除く）に覆工コンクリートを打設する。
また、移動式セントルを用いてのトンネル１の覆工は、トンネル軸方向に所定長さＬ（例えば５〜６ｍ）ずつ分割された打設単位ごとに行う。
【００１４】
従って、本実施形態では、トンネルの第１の内周面（例えば小径側の内周面）と、この第１の内周面に対しトンネル軸方向に連続し、曲率が異なる第２の内周面（例えば大径側の内周面）とに、厳密にはこれら内周面のうちトンネル底盤部Ｂより上方の天端部及び側壁部に、覆工コンクリートを打設する。
【００１５】
図２は本発明方法の一実施形態を示すトンネル断面の詳細図で、図の右側は最小径部の打設時の様子を示し、図の左側は最大径部の打設時の様子を示している。但し、中央のパネルフォーム部材については中央の分割ラインを跨いで示している。また、図３は図２のＡ−Ａ断面図である。
【００１６】
本実施形態での覆工は、二次覆工であり、これに先立って、トンネル１の内周面（掘削面）の天端部及び側壁部には、吹き付けコンクリート２による一次覆工がなされ、その表面には防水シート３が貼り付けられている。
【００１７】
二次覆工では、先ず、トンネルの内周面（一次覆工後の内周面）のうち、トンネル底盤部Ｂより上方の、左右両方の側壁部に、先行覆工コンクリート４を打設する。
言い換えれば、トンネルの第１の内周面のうち、側壁部に、第１の先行覆工コンクリート４を打設する（第１の先行覆工コンクリート打設工程）。また、トンネルの第２の内周面のうち、側壁部に、第２の先行覆工コンクリート４を打設する（第２の先行覆工コンクリート打設工程）。
【００１８】
但し、第１の先行覆工コンクリート打設工程と第２の先行覆工コンクリート打設工程とは、同時に、実施してもよい。側壁部にコンクリートを打設する先行覆工コンクリート打設工程では、移動式セントルを用いないので、天端部にコンクリートを打設する後行覆工コンクリート打設工程のトンネル軸方向の打設単位より、長い単位で、連続して、実施することができる。
【００１９】
本実施形態では、トンネル軸方向の径の変化にかかわらず、先行覆工コンクリート４の高さＨはトンネル軸方向に一定とする（図１参照）。
従って、第１の先行覆工コンクリート打設工程と、第２の先行覆工コンクリート打設工程とで、打設する先行覆工コンクリート４の高さＨは、ほぼ一定とする。すなわち、第１の内周面（小径側の内周面）と第２の内周面（大径側の内周面）とで、先行覆工コンクリート４の高さＨ（厳密には先行覆工コンクリート４のトンネル底盤部Ｂからの高さＨ）を同じにする。
【００２０】
但し、トンネル軸方向の径の変化に伴って、先行覆工コンクリート４の高さを変化させてもよい。具体的には、トンネル径が小さくなるほど、先行覆工コンクリート４の高さ（厳密には先行覆工コンクリート４のトンネル底盤部Ｂからの高さ）を低くする。これについては後述する。
【００２１】
先行覆工コンクリート打設工程の後、後行覆工コンクリート打設工程を実施する。
後行覆工コンクリート打設工程では、トンネル内の仮設の路盤５上を移動可能な移動式セントル（移動式型枠装置）６を用いる。
【００２２】
路盤（覆工用路盤）５は、トンネル底盤部Ｂ上に掘削残土などを盛土して構築される。
路盤（覆工用路盤）５はまた、図１に示されるように、トンネル軸方向に傾斜させ、トンネル径が小さくなるほど、低く形成する。言い換えれば、路盤５には、トンネル天端部のトンネル軸方向の勾配と同方向の勾配を持たせる。
【００２３】
移動式セントル６は、トンネル軸方向に、打設単位の所定長さＬ（例えば５〜６ｍ）ずつ移動させて、各移動位置で、型枠をセットして、打設し、その後、脱型して、次の位置に移動する。
【００２４】
移動式セントル６について、更に詳しく説明する。
移動式セントル６は、台車（架台）７と、台車７に搭載されるアーチ状のベースフレーム８と、ベースフレーム８に支持されて拡径及び縮径可能なパネルフォーム９と、を含んで構成される。
【００２５】
台車７は、路盤５上に敷設されるレール（図示せず）に沿って移動可能であり、また任意の移動位置で位置決め固定可能である。
ベースフレーム８は、台車７に搭載され、台車７側のジャッキで上下方向に位置調整可能に支持されている。ベースフレーム８は、アーチ状に形成されるが、パネルフォーム９の縮径状態で、覆工対象のトンネルの最小径部に対応可能な大きさに設定される。
【００２６】
パネルフォーム９は、複数のパネルフォーム部材１０がトンネル周方向にヒンジ接続されてなる。すなわち、各パネルフォーム部材１０は、トンネル軸方向に延びる帯状部材で、トンネル周方向に隣合うパネルフォーム部材１０同士がヒンジ１１により相互に回動可能に連結されている（図４参照）。
但し、各パネルフォーム部材１０は、トンネル軸方向に複数（この例では４つ）に分割されて、これらの分割体１０ａ〜１０ｄが一体的に連結されている（図５参照）。
【００２７】
パネルフォーム９について更に詳しく説明すると、図５に示すように、天端部中央のパネルフォーム部材１０−０から、周方向の左右両側に、パネルフォーム部材１０−１〜１０−５が次々と接続されて、パネルフォーム９が構成されている。パネルフォーム９の中央部（パネルフォーム部材１０−１）は上向きでトンネル天端部に対向し、パネルフォーム９の両端部（パネルフォーム部材１０−５）は下向きで解放されている。
【００２８】
天端部中央のパネルフォーム部材１０−０は、ベースフレーム８に固定状態で連結されている。
天端部中央以外のパネルフォーム部材１０−１〜１０−５は、それぞれの自由端側（アーチ部頂上側と反対側）が、ベースフレーム８に、伸縮可能なジャッキ１２を介して、連結されている。
【００２９】
従って、トンネル周方向に隣合うパネルフォーム部材１０（例えば図４のパネルフォーム部材１０−０、１０−１）については、アーチ部頂上側のパネルフォーム部材１０（例えば１０−０）を位置固定した状態で、ヒンジ１１を支点として、反対側のパネルフォーム部材１０（例えば１０−１）をジャッキにより外側に押圧することで、パネルフォーム部材１０間の折れ角度θを変化させることができる。尚、図４では、トンネル周方向に隣合うパネルフォーム部材１０が真円を形成するように接線方向に並んだ状態を基準（折れ角度θ＝０の状態）として、折れ角度θを示している。
【００３０】
各ジャッキ１２が最縮小状態のとき、複数のパネルフォーム部材１０が接線方向に並んでパネルフォーム部材１０間の折れ角度が０°となる。このとき、パネルフォーム９がベースフレーム８と同心円状となって、トンネルの最小径部に対応する。
また、各ジャッキ１２を伸長作動させ、かつ天端部中央から離れるほど、ジャッキ１２の伸長量を大きくすることで、パネルフォーム部材１０間の折れ角度θを均等に増加させることができる。これにより、アーチ状のパネルフォーム９の半径を増大させることができ、トンネルの最小径部から最大径部まで対応可能となる。
【００３１】
従って、後行覆工コンクリート打設工程では、例えば最小径部側から最大径部側に向かって分割打設を行うとすると、次のように打設する。
【００３２】
図２の右半分に示すように、小径側の打設を行う場合は、パネルフォーム部材１０間の折れ角度の調整により、アーチ状のパネルフォーム９の径を小さく（曲率を大きく）して、トンネル内周面に相対させ、パネルフォーム９の両端部はトンネル側壁部の先行覆工コンクリート４とラップさせる。この状態で、トンネル内周面（防水シート３の面）とパネルフォーム９との間の後行覆工コンクリート打設空間１３にコンクリートを打設する。尚、後行覆工コンクリート打設空間１３は、トンネル軸方向には、図３に示されるように、ラップ側である打設済みの天端部の後行覆工コンクリート１４と、妻型枠１５とで区画される。
【００３３】
小径側の打設では、トンネル内周面の内周長さが短くなることから、パネルフォーム９の両端部の高さ位置が低くなり、パネルフォーム９と、打設済みの側壁部の先行覆工コンクリート４とのラップ長は、長くなる。
【００３４】
図２の左半分に示すように、大径側の打設を行う場合は、パネルフォーム部材１０間の折れ角度の調整により、アーチ状のパネルフォーム９の径を大きく（曲率を小さく）して、トンネル内周面に相対させ、パネルフォーム９の両端部はトンネル側壁部の先行覆工コンクリート４とラップさせる。この状態で、トンネル内周面（防水シート３の面）とパネルフォーム９との間の後行覆工コンクリート打設空間１３にコンクリートを打設する。
【００３５】
大径側の打設では、トンネル内周面の内周長さが長くなることから、パネルフォーム９の両端部の高さ位置が高くなり、パネルフォーム９と、打設済みの側壁部の先行覆工コンクリート４とのラップ長は、短くなる。
【００３６】
従って、後行覆工コンクリート打設工程は、下記の（１）、（２）の工程を含む。
（１）曲率を変化可能なアーチ状のパネルフォーム９を使用し、第１の内周面（小径側の内周面）に対し、パネルフォーム９のアーチ部が第１の曲率でトンネル天端部を覆い、パネルフォーム９の両端部が第１の先行覆工コンクリート４とラップするように、パネルフォーム９を設置して、前記第１の内周面とパネルフォーム９との間のトンネル天端部の領域に、第１の後行覆工コンクリートを打設する工程
（２）第２の内周面（大径側の内周面）に対し、パネルフォーム９のアーチ部が第２の曲率でトンネル天端部を覆い、パネルフォーム９の両端部が第２の先行覆工コンクリート４とラップするように、パネルフォーム９を設置して、前記第２の内周面とパネルフォーム９との間のトンネル天端部の領域に、第２の後行覆工コンクリートを打設する工程
【００３７】
ここで、第１の後行覆工コンクリート打設工程と第２の後行覆工コンクリート打設工程とで、先行覆工コンクリート４とラップするパネルフォーム９の両端部の高さ位置を、変化させる。
具体的には、先行覆工コンクリートとラップするパネルフォーム９の両端部の高さ位置を、前記第１及び第２の内周面のうち、曲率が大きい方（半径が小さい方）の内周面の側壁部への先行覆工コンクリート打設工程の方が、低くなるように、変化させる。
【００３８】
第１の先行覆工コンクリート打設工程と第２の先行覆工コンクリート打設工程とで、打設する先行覆工コンクリート４の高さＨが一定の場合は、次のようになる。
第１の後行覆工コンクリート打設工程と第２の後行覆工コンクリート打設工程とで、パネルフォーム９と先行覆工コンクリート４とのラップ長を変化させる。
具体的には、パネルフォーム９と先行覆工コンクリート４とのラップ長を、前記第１及び第２の内周面のうち、曲率が大きい方（半径が小さい方）の内周面の天端部への後行覆工コンクリート打設工程の方が、長くなるように、変化させる。
【００３９】
本実施形態では、また、パネルフォーム９は、トンネル１内の路盤５上をトンネル軸方向に移動可能な台車７に搭載して使用し、路盤５の高さは、トンネル軸方向にトンネル天端部の高さに応じて傾斜させる（図１参照）。
従って、第１の後行覆工コンクリート打設工程にて台車７が位置する第１の路盤（例えば図２の右側）と、第２の後行覆工コンクリート打設工程にて台車が位置する第２の路盤（例えば図２の左側）とで、路盤５の高さ（厳密にはトンネル底盤部Ｂからの路盤５の高さ）を、曲率が大きい方（半径が小さい方）の内周面の天端部への後行覆工コンクリート打設工程の方が、低くなるように、変化させる。
【００４０】
かかる路盤５の高さ設定により、トンネル軸方向にトンネルの径が変化して、天端部の高さが変化しても、移動式セントル６のベースフレーム８とトンネル天端部との距離をほぼ一定に保つことできる。これによって、移動式セントル６でのベースフレーム８の位置調整が容易又は省略可能となり、工期短縮等を図ることができる。
【００４１】
次に所定長さＬの打設単位内でのトンネル径の変化に対応する方法について説明する。
パネルフォーム部材１０間のヒンジ部折れ角度を調整するジャッキ１２は、図３に示されるように、パネルフォーム９のトンネル軸方向前側と後側とに少なくとも２個ずつ設けられる。これら前後のジャッキ１２間には、適宜、支え部材１６を配置する。
【００４２】
ここにおいて、図６に示されるように、前後のジャッキ１２の伸縮量を異ならせることにより、パネルフォーム９に図５に示されるような「ねじれ」変形を与えることができ、パネルフォーム９をトンネル軸方向にテーパ状にすることができる。これにより、打設単位内でのトンネル径の連続的な変化に対応することができ、連続的に径が変化するようなコンクリートの打設が可能となる。
【００４３】
次に本発明の他の実施形態（参考例）について図７により説明する。図７は本発明方法の他の実施形態を示すトンネル断面の詳細図である。
本実施形態では、トンネル軸方向の径の変化に従って、小径側ほど、側壁部の先行覆工コンクリート４の高さ（厳密には側壁部の先行覆工コンクリート４のトンネル底盤部Ｂからの高さ）を低くする。
【００４４】
従って、第１の先行覆工コンクリート打設工程と、第２の先行覆工コンクリート打設工程とで、打設する先行覆工コンクリート４の高さＨ（厳密には打設する先行覆工コンクリート４のトンネル底盤部Ｂからの高さＨ）を、第１の内周面（小径側の内周面）と第２の内周面（大径側の内周面）とで、小径側の方が低くなるように、変化させる。
言い換えれば、トンネル底盤部Ｂを基準として、小径側の先行覆工コンクリート４の高さをＨ１、大径側の先行覆工コンクリート４の高さをＨ２とすると、Ｈ１＜Ｈ２に設定する。
【００４５】
これにより、第１の後行覆工コンクリート打設工程と第２の後行覆工コンクリート打設工程とで、パネルフォーム９と先行覆工コンクリート４とのラップ長を、ほぼ一定にすることができる。
すなわち、第１の後行覆工コンクリート打設工程と第２の後行覆工コンクリート打設工程とでのラップ長の変化が少なくなるように、第１の先行覆工コンクリート打設工程と第２の先行覆工コンクリート打設工程とで、打設する先行覆工コンクリートの高さを変化させるのである。
後行覆工コンクリート打設時のラップ長の変化が少なくなることで、コンクリートの打設品質の向上につながる。
【００４６】
尚、上記では、パネルフォーム９の両端部の高さや、先行覆工コンクリート４の高さ（上端部の高さ）をトンネル底盤部Ｂを基準として説明したが、ここでいうトンネル底盤部Ｂについては、トンネル掘削直後の底盤部であってもよいし、トンネル構造物の最終的な路盤であってもよい。また、トンネル底盤部Ｂを基準とする代わりにスプリングラインを基準としてもよい。スプリングラインとは、トンネルで最も幅の広い箇所をいう。図示の実施形態では、トンネル底盤部Ｂとスプリングラインとが一致している。
【００４７】
また、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【００４８】
１  トンネル
２  吹き付けコンクリート
３  防水シート
４  側壁部の先行覆工コンクリート
５  路盤（覆工用路盤）
６  移動式セントル
７  台車
８  ベースフレーム
９  パネルフォーム
１０（１０−０〜１０−５）  パネルフォーム部材
１１  ヒンジ
１２  ジャッキ
１３  後行覆工コンクリート打設空間
１４  打設済みの後行覆工コンクリート
１５  妻型枠
１６  支え部材
【図１】
2020128696.tif 000003
【図２】
2020128696.tif 000004
【図３】
2020128696.tif 000005
【図４】
2020128696.tif 000006
【図５】
2020128696.tif 000007
【図６】
2020128696.tif 000008
【図７】
2020128696.tif 000009